(57)【要約】【課題】  商品落下止めの形状にかかわらず安定して取り付けられる商品陳列棚用容器ホルダーを提供する。【解決手段】  本発明に係る商品陳列棚用容器ホルダー１１は、ホルダー本体１２の基部１４及び垂下片１８ａを用いて上方から商品落下止め５、９を挟み込むように構成されている商品落下止め用係止部１８と、第１引掛爪１９ａ及び第２引掛爪１９ｂをカードレール１０の係止溝１０ａ、１０ｂにそれぞれ引っ掛けるように構成されているカードレール用係止部１９とを具備する。商品落下止め用係止部１８は、基部１４と垂下片１８ａとの間に係止突起１８ｂ、１８ｃを設けており、係止突起１８ｂ、１８ｃによって基部１４と垂下片１８ａとの間に商品落下止め５、９を係止するように構成されている。【選択図】  図１
2006230818.tif 000002
【特許請求の範囲】
【請求項１】
上下一対の係止溝を有するカードレールと商品落下止めとを備えた商品陳列棚に、着脱自在に取り付けられる商品陳列棚用容器ホルダーであって、
ほぼ垂直方向に沿って形成されている前記ホルダー本体の基部と前記ホルダー本体の後方に延設されている垂下片との間に前記商品落下止めを挟み込むことによって、前記商品陳列棚用容器ホルダーを前記商品落下止めに係止するように構成されている商品落下止め用係止部と、
前記ホルダー本体の後方に延設されている水平片の先端に形成されている第１引掛爪及び前記垂下片の先端に形成されている第２引掛爪を前記カードレールの係止溝にそれぞれ引っ掛けることによって、前記商品陳列棚用容器ホルダーを前記カードレールに係止するように構成されているカードレール用係止部とを具備し、
前記商品落下止め用係止部は、前記基部と前記垂下片との間に係止突起を設けており、前記係止突起によって、前記基部と前記垂下片との間に前記商品落下止めを係止するように構成されていることを特徴とする商品陳列棚用容器ホルダー。
【請求項２】
前記ホルダー本体は、対向する湾曲状の両挟持片間に容器を挟持状態に保持するように構成されている挟持部と、前記挟持部の下方位置に設けられており前記容器の底部を支持する底支持片と、前記底支持片の前端から上方に延設されており前記容器の前面部を支持する前面支持片とを有しており、
前記両挟持片間の内径は、前記容器の外径よりも大きく設定されていることを特徴とする請求項１に記載の商品陳列棚用容器ホルダー。
【請求項３】
前記基部の一面に、所定形状のカードを挿入可能な細溝が設けられていることを特徴とする請求項１又は２に記載の商品陳列棚用容器ホルダー。
【請求項４】
前記細溝内に細溝内突起が設けられており、前記細溝内突起によって前記所定形状のカードを前記細溝内に係止するように構成されていることを特徴とする請求項３に記載の商品陳列棚用容器ホルダー。
【発明の詳細な説明】
【技術分野】
【０００１】
本発明は、上下一対の係止溝を有するカードレールと商品落下止めとを備えた商品陳列棚に、着脱自在に取り付けられる商品陳列棚用容器ホルダーに関する。
【０００２】
具体的には、本発明は、液体の芳香剤等が封入された小さなサンプルボトルを店内の商品陳列棚の前面にディスプレーする際に、当該商品陳列棚の前端部に取り付けられて当該サンプルボトルを保持する商品陳列棚用容器ホルダーに関する。
【背景技術】
【０００３】
従来、商品陳列棚用容器ホルダーとして、図１０及び図１１に記載されているものが知られている（特許文献１参照）。以下、図１０及び図１１を参照して、従来の商品陳列棚用容器ホルダーについて、簡単に説明する。
【０００４】
図１０は、従来の商品陳列棚用容器ホルダー１１を枠状の商品落下止め９に取り付けた状態を示す図であり、図１１は、従来の商品陳列棚用容器ホルダー１１を上下１対の係止溝１０ａ、１０ｂを有するカードレール１０に取り付けた状態を示す図である。
【０００５】
従来の商品陳列棚用容器ホルダー１１を枠状の商品落下止め９に取り付ける場合、図１０に示すように、枠状の商品落下止め９に対して基部１４と垂下片１８ａとの間の係止溝を上方から係入させて下方へ押し込むことにより係止させていた。
【０００６】
また、従来の商品陳列棚用容器ホルダー１１をカードレール１０に取り付ける場合、図１１に示すように、第１引掛爪１９ａ及び第２引掛爪１９ｂを対応するカードレール１０の係止溝１０ａ及び１０ｂにそれぞれ係止させていた。
【０００７】
ここで、容器（サンプルボトル）Ｂは、挟持部１５の両挟持片１５ｂ、１５ｃ及び底支持片１６によって保持されている。なお、両挟持片１５ｂ、１５ｃ間の内径は、容器（サンプルボトル）Ｂの外径よりも僅かに小さく設定されている。
【特許文献１】特開２００２-６５４１７号公報
【発明の開示】
【発明が解決しようとする課題】
【０００８】
しかしながら、従来の商品陳列棚用容器ホルダー１１は、図１０に示すように、枠状の商品落下止め９に対して、基部１４と垂下片１８ａとの間の係止溝を上方から係入させて下方へ押し込むことにより係止されているだけであるため、安定感に欠け、容易に取り外しが可能であるため、通行人がぶつかった場合に、従来の商品陳列棚用容器ホルダー１１が商品陳列棚８から取れて落ちてしまうことが多いという問題点があった。
【０００９】
また、従来の商品陳列棚用容器ホルダー１１は、棒状の商品落下止め９に対して取り付けることができないという問題点があった。
【００１０】
また、従来の商品陳列棚用容器ホルダー１１は、容器（サンプルホルダー）Ｂを保持した状態で、かかる容器（サンプルホルダー）Ｂについての広告的表現を実現することができないという問題点があった。
【００１１】
そこで、本発明は、以上の点に鑑みてなされたもので、商品落下止めの形状にかかわらず安定して取り付けることができると共に、容器（サンプルホルダー）Ｂを保持した状態で、かかる容器（サンプルホルダー）Ｂについての広告的表現を実現可能な商品陳列棚用容器ホルダーを提供することを目的とする。
【課題を解決するための手段】
【００１２】
本発明の第１の特徴は、上下一対の係止溝を有するカードレールと商品落下止めとを備えた商品陳列棚に、着脱自在に取り付けられる商品陳列棚用容器ホルダーであって、ほぼ垂直方向に沿って形成されている前記ホルダー本体の基部と前記ホルダー本体の後方に延設されている垂下片との間に前記商品落下止めを挟み込むことによって、前記商品陳列棚用容器ホルダーを前記商品落下止めに係止するように構成されている商品落下止め用係止部と、前記ホルダー本体の後方に延設されている水平片の先端に形成されている第１引掛爪及び前記垂下片の先端に形成されている第２引掛爪を前記カードレールの係止溝にそれぞれ引っ掛けることによって、前記商品陳列棚用容器ホルダーを前記カードレールに係止するように構成されているカードレール用係止部とを具備し、前記商品落下止め用係止部は、前記基部と前記垂下片との間に係止突起を設けており、前記係止突起によって、前記基部と前記垂下片との間に前記商品落下止めを係止するように構成されていることを要旨とする。
【００１３】
かかる発明によれば、商品落下止め用係止部が、基部と垂下片との間に商品落下止めを挟み込み、係止突起によって基部と垂下片との間に商品落下止めを係止するように構成されているため、商品落下止めの形状にかかわらず、安定して商品陳列棚用容器ホルダーを商品陳列棚に取り付けることができる。
【００１４】
本発明の第１の特徴において、前記ホルダー本体が、対向する湾曲状の両挟持片間に容器を挟持状態に保持するように構成されている挟持部と、前記挟持部の下方位置に設けられており前記容器の底部を支持する底支持片と、前記底支持片の前端から上方に延設されており前記容器の前面部を支持する前面支持片とを有しており、前記両挟持片間の内径が、前記容器の外径よりも大きく設定されていてもよい。
【００１５】
かかる発明によれば、両挟持片間の内径が容器の外径よりも大きく設定されているため、商品陳列棚用容器ホルダーに対する容器の着脱を容易にしつつ、前面支持片が設けられているため、商品陳列棚用容器ホルダーに保持された状態の容器が落下することを防ぐことができる。
【００１６】
本発明の第１の特徴において、前記基部の一面に、所定形状のカードを挿入可能な細溝が設けられていてもよい。
【００１７】
かかる発明によれば、所定形状のカードを挿入可能な細溝を設けているため、広告用カードの差し替えが自由になり、固定的なラベル表示部を設ける場合よりも、柔軟な広告的表現を実現することができる。
【００１８】
本発明の第１の特徴において、前記細溝内に細溝内突起が設けられており、前記細溝内突起によって前記所定形状のカードを前記細溝内に係止するように構成されていてもよい。
【００１９】
かかる発明によれば、細溝内突起によって所定形状のカードを細溝内に係止することができるため、挿入された広告用カードが簡単に抜けてしまうという事態を回避することができる。
【発明の効果】
【００２０】
以上説明したように、本発明によれば、商品落下止めの形状にかかわらず安定して取り付けることができると共に、容器（サンプルホルダー）Ｂを保持した状態で、かかる容器（サンプルホルダー）Ｂについての広告的表現を実現可能な商品陳列棚用容器ホルダーを提供することができる。
【発明を実施するための最良の形態】
【００２１】
（本発明の一実施形態に係る商品陳列棚用容器ホルダー）
以下、本発明の一実施形態に係る商品陳列棚用容器ホルダーについて、図面に基づいて説明する。
【００２２】
図１乃至図４に示すように、本実施形態に係る商品陳列棚用容器ホルダー１１は、サンプルボトル（容器）Ｂを保持するホルダー本体１２と、当該ホルダー本体１２の後部に一体に設けられており、商品陳列棚８の前面に取り付けられるように構成されている係止機構１３とによって構成されている。
【００２３】
なお、商品陳列棚用容器ホルダー１１は、図５乃至図９に示すように、上下一対の係止溝１０ａ、１０ｂを有するカードレール１０と商品落下止め５、９とを備えた商品陳列棚８に着脱自在に取り付けられるように構成されている。
【００２４】
ここで、商品陳列棚８の上部には、棒状の商品落下止め５又は枠状の商品落下止め９が固定されていると共に、商品陳列棚８の前面には上下一対の係止溝１０ａ、１０ｂが平行に設けられているカードレール１０が固定されている。
【００２５】
ホルダー本体１２は、ほぼ垂直方向に沿って形成されている基部１４と、基部１４の前面に設けられたほぼ半円筒状の挟持部１５と、基部１４の下端縁から前方へ水平に突出した板状の底支持片１６と、挟持部１５の下方位置に設けられておりサンプルボトルＢの底部を支持する底支持片１６と、底支持片１６の前端から上方に延設されておりサンプルボトルＢの前面部を支持する前面支持片１６ａとによって構成されている。
【００２６】
基部１４は、商品陳列棚用容器ホルダー１１が商品陳列棚８に取り付けられる際に、商品陳列棚８の前面に配置される。また、基部１４の一面（例えば、上面）に、所定形状のカード（例えば、広告用カード）Ｃを挿入可能な細溝１７が設けられている（図１乃至図４参照）。
【００２７】
また、細溝１７内に細溝内突起１７ａが設けられており、細溝内突起１７ａによって所定形状のカードＣを細溝１７内に係止するように構成されている。
【００２８】
挟持部１５は、基部１４の上端部に一体に設けられた中央部１５ａの両側から前方へ突出した両挟持片１５ｂ、１５ｃが互いに内方へ湾曲状に折曲されて抱腕状態に形成されている。すなわち、挟持部１５は、対向する湾曲状の両挟持片１５ｂ、１５ｃ間にサンプルボトルＢを挟持状態に保持するように構成されている。
【００２９】
なお、両挟持片１５ｂ、１５ｃ間の内径は、サンプルボトルＢの外径よりも大きく設定されている。
【００３０】
底支持片１６は、基部１４の幅と同一の幅に設定されていると共に、前端縁がサンプルボトルＢの底面形状とほぼ同一の円弧形状に形成さ
れている。
【００３１】
係止機構１３は、商品陳列棚用容器ホルダー１１を商品落下止め５、９に係止するように構成されている商品落下止め用係止部１８と、商品陳列棚用容器ホルダー１１をカードレール１０に係止するように構成されているカードレール用係止部１９とを有している。
【００３２】
商品落下止め用係止部１８は、ホルダー本体１２の後方に延設されている垂下片１８ａと、ホルダー本体１２の基部１４とによって構成されている。
【００３３】
具体的には、図５及び図６に示すように、商品落下止め用係止部１８は、基部１４と垂下片１８ａとの間に棒状の商品落下止め５を挟み込むことによって、商品陳列棚用容器ホルダー１１を商品落下止め５に係止するように構成されている。
【００３４】
ここで、垂下片１８ａを基部１４から離れる方向に弾性変形させることによって広げられた垂下片１８ａと基部１４との間の係止溝に、棒状の商品落下止め５を押し込むことによって、商品落下止め用係止部１８に棒状の商品落下止め５を挟み込む。
【００３５】
また、商品落下止め用係止部１８は、基部１４と垂下片１８ａとの間に係止突起１８ｂ、１８ｃを設けており、係止突起１８ｃ、１８ｃによって、基部１４と垂下片１８ａとの間に棒状の商品落下止め９を係止するように構成されている。
【００３６】
具体的には、基部１４の後面に係止突起１８ｂが設けられていると共に、垂下片１８ａの前面に係止突起１８ｃが設けられている。なお、係止突起１８ｂ及び係止突起１８ｃは、効率的に基部１４と垂下片１８ａとの間に棒状の商品落下止め９を係止するために、互い違いに配置されている。
【００３７】
カードレール用係止部１９は、ホルダー本体１２の後方に延設されている水平片２０の先端に形成されている第１引掛爪１９ａと、垂下片１８ａの先端に形成されている第２引掛爪１９ｂとによって構成されている。ここで、第２引掛爪１９ｂについて詳述すると、垂下片１８ａの下端部が背方に湾曲しており、かかる湾曲部の下端に第２引掛爪１９ｂが形成されている。なお、水平片２０は、基部１４の幅と同一の幅に設定されて、ほぼ矩形状に形成されている。
【００３８】
具体的には、図７及び図８に示すように、カードレール用係止部１９は、第１引掛爪１９ａ及び第２引掛爪１９ｂをカードレール１０の係止溝１０ａ、１０ｂにそれぞれ引っ掛けることによって、商品陳列棚用容器ホルダー１１をカードレール１０に係止するように構成されている。
【００３９】
すなわち、第１引掛爪１９ａが、カードレール１０の上側の係止溝１０ａに内側下方から係止する一方、第２引掛爪１９ｂが、カードレール１０の下側の係止溝１０ｂに内側上方から係止するように構成されている。
【００４０】
また、図９に示すように、商品落下止め用係止部１８は、基部１４と垂下片１８ａとの間に枠状の商品落下止め９を挟み込むことによって、商品陳列棚用容器ホルダー１１を商品落下止め９に係止するように構成されている。かかる場合、枠状の商品落下止め９の本体は、板によって構成されていてもよいし、網によって構成されていてもよい。
【００４１】
本実施形態に係る商品陳列棚用容器ホルダー１１によれば、商品落下止め用係止部１８が、基部１４と垂下片１８ａとの間に商品落下止め５、９を挟み込み、係止突起１９ｂ、１８ｃによって基部１４と垂下片１８ａとの間に商品落下止め５、９を係止するように構成されているため、商品落下止めの形状（棒状や枠状（板状や網状）等）にかかわらず、安定して商品陳列棚用容器ホルダー１１を商品陳列棚５、９に取り付けることができる。
【００４２】
本実施形態に係る商品陳列棚用容器ホルダー１１によれば、両挟持片１５ｂ、１５ｃ間の内径がサンプルボトルＢの外径よりも大きく設定されているため、商品陳列棚用容器ホルダー１１に対するサンプルボトルＢの着脱を容易にしつつ、前面支持片１６ａが設けられているため、商品陳列棚用容器ホルダー１１に保持された状態のサンプルボトルＢが落下することを防ぐことができる。
【００４３】
本実施形態に係る商品陳列棚用容器ホルダー１１によれば、所定形状のカードを挿入可能な細溝１７を設けているため、広告用カードＣの差し替えが自由になり、固定的なラベル表示部を設ける場合よりも、柔軟な広告的表現を実現することができる。その結果、店員にとって、従来の商品陳列棚用容器ホルダー１１と比べて、使い勝手の良い商品陳列棚用容器ホルダー１１となる。
【００４４】
本実施形態に係る商品陳列棚用容器ホルダー１１によれば、細溝内突起１７ａによって所定形状のカードを細溝１７内に係止することができるため、挿入された広告用カードＣが簡単に抜けてしまうという事態を回避することができる。
【図面の簡単な説明】
【００４５】
【図１】本発明の一実施形態に係る商品陳列棚用容器ホルダーの斜視図である。
【図２】本発明の一実施形態に係る商品陳列棚用容器ホルダーの正面図である。
【図３】本発明の一実施形態に係る商品陳列棚用容器ホルダーの平面図である。
【図４】本発明の一実施形態に係る商品陳列棚用容器ホルダーの側面図である。
【図５】本発明の一実施形態に係る商品陳列棚用容器ホルダーを棒状の商品落下止めに取り付けた状態を示す斜視図である。
【図６】本発明の一実施形態に係る商品陳列棚用容器ホルダーを棒状の商品落下止めに取り付けた状態を示す側面図である。
【図７】本発明の一実施形態に係る商品陳列棚用容器ホルダーをカードレールに取り付けた状態を示す斜視図である。
【図８】本発明の一実施形態に係る商品陳列棚用容器ホルダーをカードレールに取り付けた状態を示す側面図である。
【図９】本発明の一実施形態に係る商品陳列棚用容器ホルダーを枠状の商品落下止めに取り付けた状態を示す側面図である。
【図１０】従来の商品陳列棚用容器ホルダーを枠状の商品落下止めに取り付けた状態を示す側面図である。
【図１１】従来の商品陳列棚用容器ホルダーをカードレールに取り付けた状態を示す側面図である。
【符号の説明】
【００４６】
Ｂ…サンプリング容器
Ｃ…広告用カード
５、９…商品落下止め
８…商品陳列棚
１０…カードレール
１０ａ、１０ｂ…係止溝
１１…商品陳列棚用容器ホルダー
１２…ホルダー本体
１３…係止機構
１４…基部
１５…挟持部
１５ａ…中央部
１５ｂ、１５ｃ…両挟持片
１６…底支持片
１６ａ…前面支持片
１７…細溝
１７ａ…細溝内突起
１８…商品落下止め用係止部
１８ａ…垂下片
１８ｂ、１８ｃ…係止突起
１９…カードレール用係止部
１９ａ…第１引掛爪
１９ｂ…第２引掛爪
２０…水平片
【図１】
2006230818.tif 000003
【図２】
2006230818.tif 000004
【図３】
2006230818.tif 000005
【図４】
2006230818.tif 000006
【図５】
2006230818.tif 000007
【図６】
2006230818.tif 000008
【図７】
2006230818.tif 000009
【図８】
2006230818.tif 000010
【図９】
2006230818.tif 000011
【図１０】
2006230818.tif 000012
【図１１】
2006230818.tif 000013